(57)【特許請求の範囲】
【請求項１】
無線回線を介して外部機器と接続され、前記外部機器による遠隔操作に応じた撮像処理を行うデータ処理装置であって、
被写体を撮像する撮像手段と、
前記データ処理装置が前記外部機器と接続され、かつ前記データ処理装置が特定の撮影モード又は特定の撮影条件になったか否かを判定する判定手段と、
表示方向が可変であって、前記撮像手段で得られた画像を表示する表示部と、
報知手段と、を有し、
前記判定手段により、前記データ処理装置が前記外部機器と接続され、かつ前記データ処理装置が特定の撮影モード又は特定の撮影条件になったと判定された場合、前記報知手段は前記外部機器による前記遠隔操作が可能である旨のメッセージを報知し、
前記判定手段により、前記データ処理装置が前記外部機器と接続されておらず、特定の撮影モードにも特定の撮影条件にもなっていないと判定された場合、前記遠隔操作が可能であっても前記報知手段は前記外部機器による前記遠隔操作が可能である旨のメッセージを報知せず、
前記表示部が前記表示部の表示方向と前記撮像手段による撮像方向とが同一の方向である状態になると、前記判定手段は特定の撮影条件になったと判定することを特徴とするデータ処理装置。
【請求項２】
前記報知手段は、前記データ処理装置に備えられた表示部に前記メッセージを表示して報知を行うことを特徴とする請求項１に記載のデータ処理装置。
【請求項３】
前記報知手段は、前記外部機器に前記メッセージを送信して、前記外部機器に備えられた表示部に前記メッセージを表示して報知を行うことを特徴とする請求項１又は２に記載のデータ処理装置。
【請求項４】
前記外部機器は、前記表示部に表示されたメッセージが選択されると、前記遠隔操作を行うための操作画面を前記表示部に表示することを特徴とする請求項３に記載のデータ処理装置。
【請求項５】
前記判定手段は、前記データ処理装置を操作するユーザ自身を撮影する自撮りモードが設定されると、特定の撮影モードになったと判定することを特徴とする請求項１乃至４のいずれか１項に記載のデータ処理装置。
【請求項６】
前記判定手段は、レリーズスイッチが操作されて所定の時間の後に撮影を行うタイマ撮影モードおよび手ブレを防止するためのバルブ撮影モードが設定されると、特定の撮影モードになったと判定することを特徴とする請求項１乃至５のいずれか１項に記載のデータ処理装置。
【請求項７】
被写体を撮像する撮像手段と、表示方向が可変であって前記撮像手段で得られた画像を表示する表示部とを有し、無線回線を介して外部機器と接続され、前記外部機器による遠隔操作に応じた撮像処理を行うデータ処理装置の制御方法であって、
前記データ処理装置が前記外部機器と接続され、かつ前記データ処理装置が特定の撮影モード又は特定の撮影条件になったか否かを判定する判定ステップと、
報知ステップと、を有し、
前記判定ステップにて、前記データ処理装置が前記外部機器と接続され、かつ前記データ処理装置が特定の撮影モード又は特定の撮影条件になったと判定された場合、前記報知ステップでは、前記外部機器による前記遠隔操作が可能である旨のメッセージを報知し、  前記判定ステップにて、前記データ処理装置が前記外部機器と接続されておらず、特定の撮影モードにも特定の撮影条件にもなっていないと判定された場合、前記報知ステップでは、前記遠隔操作が可能であっても前記外部機器による前記遠隔操作が可能である旨のメッセージを報知せず、
前記表示部が前記表示部の表示方向と前記撮像手段による撮像方向とが同一の方向である状態になると、前記判定ステップで特定の撮影条件になったと判定することを特徴とする制御方法。
【請求項８】
被写体を撮像する撮像手段と、表示方向が可変であって前記撮像手段で得られた画像を表示する表示部とを有し、無線回線を介して外部機器と接続され、前記外部機器による遠隔操作に応じた撮像処理を行うデータ処理装置で用いられるプログラムであって、
前記データ処理装置に備えられたコンピュータに、
前記データ処理装置が前記外部機器と接続され、かつ前記データ処理装置が特定の撮影モード又は撮影条件になったか否かを判定する判定ステップと、
報知ステップと、を実行させ、
前記判定ステップにて、前記データ処理装置が前記外部機器と接続され、かつ前記データ処理装置が特定の撮影モード又は特定の撮影条件になったと判定された場合、前記報知ステップでは、前記外部機器による前記遠隔操作が可能である旨のメッセージを報知し、  前記判定ステップにて、前記データ処理装置が前記外部機器と接続されておらず、特定の撮影モードにも特定の撮影条件にもなっていないと判定された場合、前記報知ステップでは、前記遠隔操作が可能であっても前記外部機器による前記遠隔操作が可能である旨のメッセージを報知しないよう制御させ、
前記表示部が前記表示部の表示方向と前記撮像手段による撮像方向とが同一の方向である状態になると、前記判定ステップで特定の撮影条件になったと判定させることを特徴とするプログラム。
【発明の詳細な説明】
【技術分野】
【０００１】
本発明は、データ処理装置、その制御方法、およびプログラムに関し、特に、無線通信を介して他の機器と通信可能なデータ処理装置に関する。
【背景技術】
【０００２】
デジタルカメラなどのデータ処理装置に無線通信機能を搭載して、スマートフォンなどのスマートデバイスと無線接続して相互に連携する技術が知られている。その一つとして、スマートフォンからデジタルカメラに無線通信を介して撮影指示を行うリモコン機能がある。リモコン機能は、撮影者が被写体の一人として撮影対象に含まれる場合に有用である。
【０００３】
また、液晶パネルなどの表示部が可動式であるデジタルカメラがある。この種のデジタルカメラでは、表示部の向きを変えることによって様々な角度でライブ画像を目視しつつ撮影することができる（特許文献１参照）。そして、このデジタルカメラでは、撮影方向と表示方向の向きに応じて表示内容を変更することが行われている。
【先行技術文献】
【特許文献】
【０００４】
【特許文献１】特開２００６−０８０８７５号公報
【発明の概要】
【発明が解決しようとする課題】
【０００５】
ところで、デジタルカメラなどのデータ処理装置とスマートフォンなどのスマートデバイスとが無線通信可能な状況にあれば、スマートデバイスから撮影指示を行うリモコン機能を用いることができる。ところが、撮影者自身が被写体となるような撮影シーンのようにリモコン撮影が有用な場合であっても、リモコン機能を用いることかできることにユーザが気づかず、せっかくの機能を利用できないことがある。
【０００６】
本発明の目的は、リモコン撮影が有用な状況において、ユーザがリモコン撮影可能なことを知ることができ、さらに、リモコン機能を容易に使用することができるデータ処理装置、その制御方法、およびプログラムを提供することにある。
【課題を解決するための手段】
【０００７】
上記の目的を達成するため、本発明によるデータ処理装置は、無線回線を介して外部機器と接続され、前記外部機器による遠隔操作に応じた撮像処理を行うデータ処理装置であって、被写体を撮像する撮像手段と、前記データ処理装置が前記外部機器と接続され、かつ前記データ処理装置が特定の撮影モード又は特定の撮影条件になったか否かを判定する判定手段と、表示方向が可変であって、前記撮像手段で得られた画像を表示する表示部と、報知手段と、を有し、前記判定手段により、前記データ処理装置が前記外部機器と接続され、かつ前記データ処理装置が特定の撮影モード又は特定の撮影条件になったと判定された場合、前記報知手段は前記外部機器による前記遠隔操作が可能である旨のメッセージを報知し、前記判定手段により、前記データ処理装置が前記外部機器と接続されておらず、特定の撮影モードにも特定の撮影条件にもなっていないと判定された場合、前記遠隔操作が可能であっても前記報知手段は前記外部機器による前記遠隔操作が可能である旨のメッセージを報知せず、前記表示部が前記表示部の表示方向と前記撮像手段による撮像方向とが同一の方向である状態になると、前記判定手段は特定の撮影条件になったと判定することを特徴とする。
【発明の効果】
【０００８】
本発明によれば、リモコン撮影などの遠隔操作が有用な状況において、ユーザが遠隔操作が可能なことを知ることができ、さらに、遠隔操作を容易に用いることができる。その結果、ユーザの利便性を向上させることができる。
【図面の簡単な説明】
【０００９】
【図１】本発明の第１の実施形態によるデータ処理装置の一例であるデジタルカメラの構成を説明するための図である。
【図２】本発明の第１の実施形態による通信装置の一例であるスマートデバイスの構成を示すブロック図である。
【図３】図１に示すカメラと図２に示すスマートデバイスとの近距離無線通信を説明するための図である。
【図４】図１に示すカメラで行われる撮影処理を説明するためのフローチャートである。
【図５】図４に示す撮影処理においてカメラおよびスマートデバイスに表示される画面の一例を説明するための図である。
【図６】本発明の第２の実施形態によるカメラにおいて表示部に表示される撮影モード選択画面の一例を示す図である。
【図７】本発明の第２の実施形態によるカメラで行われる撮影処理を説明するためのフローチャートである。
【発明を実施するための形態】
【００１０】
以下に、本発明の実施の形態による通信装置およびデータ処理装置の一例について図面を参照して説明する。
【００１１】
［第１の実施形態］
＜デジタルカメラの構成＞
図１は、本発明の第１の実施形態によるデータ処理装置の一例であるデジタルカメラの構成を説明するための図である。そして、図１（ａ）はデジタルカメラの構成を示すブロック図であり、図１（ｂ）はデジタルカメラの外観について表示部を上側に展開した状態で正面から示す斜視図である。また、図１（ｃ）はデジタルカメラの外観について表示部を右側に展開した状態で正面から示す斜視図である。
【００１２】
なお、ここではデータ処理装置の一例としてデジタルカメラ（以下単にカメラと呼ぶ）について説明するが、データ処理装置はカメラに限らない。例えば、データ処理装置は、携帯型のメディアプレーヤ又はスマートフォンなどの所謂スマートデバイス、そして、パーソナルコンピュータなどの情報処理装置であってもよい。
【００１３】
まず、図１（ａ）を参照して、カメラ１００は、制御部１０１を有している。制御部１０１は入力信号および後述のプログラムに従ってカメラ１００全体を制御する。なお、制御部１０１が装置全体を制御する代わりに、複数のハードウェアが処理を分担することによって、カメラ１００全体を制御するようにしてもよい。
【００１４】
撮像部１０２は、例えば、光学レンズユニットおよび撮像素子を有し、当該光学レンズユニットには、少なくとも絞り、ズームレンズ、およびフォーカスレンズが備えられている。そして、光学レンズユニットを介して撮像素子に光学像（被写体像）が結像し、撮像素子は光学像に応じた電気信号（映像信号）に変換する。
【００１５】
撮像部１０２は、制御部１０１の制御下で電気信号についてノイズ低減処理などを行った後、Ａ／Ｄ変換によってデジタルデータである画像データを出力する。制御部１０１は画像データを一旦バッファメモリに格納する。そして、制御部１０１はバッファメモリに格納された画像データに対して所定の処理を行って記録媒体１０７に記録する。
【００１６】
不揮発性メモリ１０３は、電気的に消去・記録可能な不揮発性のメモリであって、不揮発性メモリ１０３には、制御部１０１で実行されるプログラムなどが格納される。作業用メモリ１０４は、撮像部１０２で得られた画像データを一時的に保持するバッファメモリとして用いられる。さらには、作業用メモリ１０４は表示部１０６に画像を表示する際の画像表示用メモリおよび制御部１０１の作業領域などとして用いられる。
【００１７】
操作部１０５は、ユーザによって操作され、ユーザは操作部１０５を用いてカメラ１００に対する指示を入力する。操作部１０５には、例えば、ユーザがカメラ１００の電源をＯＮ／ＯＦＦするための電源ボタン、撮影を指示するためのレリーズスイッチ、およびズーム操作を指示するためのズームレバーが備えられている。
【００１８】
さらに、操作部１０５には、画像データの再生を指示するための再生ボタンおよびカメラ１００の起動モードを指示するモードダイヤルが備えられている。加えて、操作部１０５には、後述する通信部１１１によって外部機器と通信を開始するための専用の接続ボタンおよび表示部１０６に形成されたタッチパネルが含まれる。
【００１９】
なお、レリーズスイッチは、第１のスイッチＳＷ１および第２のスイッチＳＷ２を有している。レリーズスイッチが所謂半押し状態となると、第１のスイッチＳＷ１がＯＮとなる。これによって、制御部１０１はＡＦ（オートフォーカス）処理、ＡＥ（自動露出）処理、ＡＷＢ（オートホワイトバランス）処理、およびＥＦ（フラッシュプリ発光）処理などの撮影準備を開始する。また、レリーズスイッチが所謂全押し状態となると、第２のスイッチＳＷ２がＯＮとなる。これによって、制御部１０１は撮影を開始する。
【００２０】
表示部１０６には、撮影の際にビューファインダー画像が表示される。さらに、表示部１０６には、撮影によって得られた画像データに応じた画像が表示されるとともに、対話的な操作のために文字などが表示される。
【００２１】
なお、表示部１０６は必ずしもカメラ１００に内蔵される必要はない。カメラ１００には内部又は外部の表示部１０６と接続することができ、表示部１０６には表示を制御する表示制御機能が少なくとも備えられていればよい。
【００２２】
記録媒体１０７には、撮像部１０２で得られた画像データが記録される。記録媒体１０７は、カメラ１００に着脱可能であるか又はカメラ１００に内蔵される。つまり、カメラ１００には少なくとも記録媒体１０７にアクセスする手段が備えられていればよい。
【００２３】
なお、カメラ１００にはバッテリー１０８が装着され、当該バッテリー１０８によってカメラ１００を動作させるために必要な電力が供給される。バッテリー１０８はカメラ１００に着脱可能であってもよく、カメラ１００に内蔵されていてもよい。つまり、バッテリー１０８は少なくともカメラ１００に電力を供給できればよい。
【００２４】
通信部１１１は、カメラ１００を外部機器と接続するためのインターフェースである。図示のカメラ１００は、通信部１１１によって外部機器と画像データなどの各種データを送受する。例えば、制御部１０１は撮像部１０２で得られた画像データを、通信部１１１によって外部機器に送信する。ここでは、通信部１１１は外部機器と、例えば、ＩＥＥＥ８０２．１１の規格に従った所謂無線ＬＡＮによって通信を行うためのインターフェースを有している。
【００２５】
近距離無線通信部１１２は、例えば、アンテナ、無線信号を処理するための変復調回路、および通信コントローラを有している。近距離無線通信部１１２は、変調された無線信号をアンテナから出力し、またアンテナで受信した無線信号を復調することによってＩＥＥＥ８０２．１５の規格（所謂Ｂｌｕｅｔｏｏｔｈ（登録商標））に従った近距離無線通信を行う。
【００２６】
このＢｌｕｅｔｏｏｔｈによる通信は、無線ＬＡＮ通信に比べて通信可能な範囲が狭い（つまり、通信可能な距離が短い）。また、Ｂｌｕｅｔｏｏｔｈによる通信は、無線ＬＡＮ通信に比べて通信速度が遅い（つまり、低速である）。一方、Ｂｌｕｅｔｏｏｔｈによる通信は、無線ＬＡＮ通信に比べて消費電力が少ない。図示の例では、Ｂｌｕｅｔｏｏｔｈによる通信には、低消費電力であるＢｌｕｅｔｏｏｔｈ  Ｌｏｗ  Ｅｎｅｒｇｙ（ＢＬＥ：登録商標）のバージョン４．０が用いられる。
【００２７】
図示のカメラ１００では、制御部１０１は近距離無線通信部１１２によって外部機器と画像データなどの各種データを送受することができる。例えば、外部機器から送られる撮影指示を受信すると、制御部１０１は撮像部１０２を制御して撮影を行う。また、無線ＬＡＮ通信によるデータの送受を行うための指示を受信すると、制御部１０１は通信１１１を制御して無線ＬＡＮによる通信を開始する。
【００２８】
続いて、図１（ｂ）および図１（ｃ）を参照して、カメラ１００の正面側には撮像部１０２が配置され、さらに、カメラ１００の上面には操作部１０５の１つであるレリーズスイッチが配置される。カメラ１００の背面側には表示部１０６が配置され、当該表示部１０６はカメラ１００の上端部（図１（ｂ）参照）又は右端（図１（ｃ）参照）を軸としてカメラ１００に対して回転可能となっている。つまり、表示部１０６はカメラ１００に対する位置が可変となっている。
【００２９】
例えば、撮影者が撮影者自身を含まない被写体を撮影する際には、表示部１０６を閉じた状態とする。なお、表示部１０６を閉じた状態とは、撮像部１０２の撮像方向（向き）と表示部１０６の表示方向（つまり、表示面）とが逆方向の状態をいう。これによって、撮影者は表示部１０６に表示されたライブ画像を確認しつつ撮影を行うことができる。
【００３０】
一方、撮影者が撮影者自身を含む被写体を撮影する際には（撮影者自身のみを撮影する場合を含む）、表示部１０６を開いた状態とする。なお、表示部１０６を開いた状態とは、撮像部１０２の撮像方向と表示部１０６の表示方向が同一方向の状態をいう。これによって、撮影者は表示部１０６に表示されたライブ画像を確認しつつ、撮影者自身を含む被写体を撮影することができる。このように、カメラ１００に対して表示部１０６を回転可能に接続することによって、撮影者は常にライブ画像を確認しつつ撮影を行うことができる。
【００３１】
＜スマートデバイスの構成＞
図２は、本発明の第１の実施形態による通信装置の一例であるスマートデバイスの構成を示すブロック図である。なお、スマートデバイスには、スマートフォンなどの携帯電話および所謂タブレットデバイスが含まれる。なお、ここでは、通信装置の一例としてスマートデバイスを例に挙げて説明するが、通信装置はスマートデバイスに限定されない。例えば、通信装置は、無線機能付きのデジタルカメラ、プリンタ、テレビ、又はパーソナルコンピュータであってもよい。
【００３２】
スマートデバイス２００は無線回線によってカメラ１００と接続される。スマートデバイス２００は制御部２０１を有しており、制御部２０１は入力信号および後述のプログラムに従ってスマートデバイス２００全体を制御する。なお、制御部２０１がスマートデバイス２００全体を制御する代わりに、複数のハードウェアが処理を分担することによって、スマートデバイス２００全体を制御するようにしてもよい。
【００３３】
撮像部２０２は光学レンズユニットを介して入射した光学像に応じた電気信号（映像信号）に変換する。そして、撮像部２０２は、制御部２０１の制御下で電気信号についてノイズ低減処理などを行った後、Ａ／Ｄ変換によってデジタルデータである画像データを出力する。制御部１０１は画像データを一旦バッファメモリに保存する。そして、制御部２０１は、バッファメモリに保存された画像データについて所定の処理を行って記録媒体２１０に記録する。
【００３４】
不揮発性メモリ２０３には、制御部２０１で実行されるＯＳ（オペレーティングシステム）と当該ＯＳと協働して応用的な機能を実現するアプリケーション（以下アプリと呼ぶ）が記録されている。なお、不揮発性メモリ２０３には、カメラ１００と通信を行うためのアプリが格納されている。
【００３５】
作業用メモリ２０４は、撮像部２０２で得られた画像データを一時的に保持するバッファメモリとして用いられる。さらには、作業用メモリ２０４は表示部２０６に画像を表示する際の画像表示用メモリおよび制御部２０１の作業領域などとして用いられる。
【００３６】
操作部２０５は、ユーザによって操作され、ユーザは操作部２０５を用いてスマートデバイス２００に対する指示を入力する。操作部２０５には、例えば、ユーザがスマートデバイス２００の電源をＯＮ／ＯＦＦするための電源ボタンを有し、操作部２０５には、表示部２０６に形成されたタッチパネルが含まれる。
【００３７】
表示部２０６には、撮影によって得られた画像データに応じた画像が表示されるとともに、対話的な操作のために文字などが表示される。なお、表示部２０６は必ずしもスマートデバイス２００に備える必要はない。スマートデバイス２００は表示部２０６と接続することができ、かつ表示部２０６による表示を制御する表示制御機能を少なくとも備えていればよい。
【００３８】
記録媒体２１０には、撮像部２０２で得られた画像データが記録される。記録媒体２１０は、スマートデバイス２００に着脱可能であるか又はスマートデバイス２００に内蔵される。つまり、スマートデバイス２００には少なくとも記録媒体２１０にアクセスする手段が備えられていればよい。
【００３９】
通信部２１１は、スマートデバイス２００を外部機器と接続するためのインターフェースである。図示のスマートデバイス２００は、通信部２１１によって外部機器と画像データなどの各種データを送受する。通信部２１１は、例えば、アンテナであって、制御部２０１は、当該アンテナを介してカメラ１００と接続することができる。
【００４０】
なお、カメラ１００との接続を行う際には、カメラ１００と直接接続してもよく、さらには、アクセスポイントを介して接続するようにしてもよい。
【００４１】
データを通信するためのプロトコルとして、例えば、無線ＬＡＮによるＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）が用いられる。携帯電話２００とカメラ１００との通信はこれに限られるものではない。
【００４２】
近距離無線通信部２１２は、例えば、アンテナ、無線信号を処理するため変復調回路、および通信コントローラを有している。近距離無線通信部２１２は、前述の近距離無線通信部１１２と同様に、Ｂｌｕｅｔｏｏｔｈ（登録商標）による通信を行い、ここでは、低消費電力であるバージョン４．０、Ｂｌｕｅｔｏｏｔｈ  Ｌｏｗ  Ｅｎｅｒｇｙが用いられる。
【００４３】
スマートデバイス２００がデジタルカメラ１００と近距離無線通信を行う際には、まずペアリングと呼ばれる近距離無線通信における１対１の接続のための操作によって近距離無線通信部１１２と接続する必要がある。ペアリング操作においては、例えば、カメラ１００が”Ｐｅｒｉｐｈｅｒａｌ”となって、近距離無線通信部１１２によって”Ａｄｖｅｒｔｉｓｅ”と呼ばれる自分の存在を周辺に知らせる動作を行う。
【００４４】
一方、スマートデバイス２００は”Ｃｅｎｔｒａｌ”として動作し、近距離無線通信部２１２によってスキャン動作を行ってカメラ１００を発見する。そして、スマートデバイス２００は”Ｉｎｉｔｉａｔｅ”動作によって参加要請を行って、カメラ１００と近距離無線通信接続を行う。
【００４５】
なお、ペアリングは暗号化を伴う”Ｂｌｕｅｔｏｏｔｈ”接続に限定して用いられることもあるが、ここでは、暗号化の有無に拘わらず、近距離無線通信を用いた１対１接続のための操作をペアリングと呼ぶ。
【００４６】
公衆網通信部２１３は、公衆無線通信を行う際に用いられるインターフェースである。スマートデバイス２００は、公衆網通信部２１３によって他の機器と通話を行うことができる。この際、制御部２０１はマイク２１４およびスピーカ２１５を介して音声信号の入力および出力を行って通話を行う。図示の例では、公衆網通信部２１３はアンテナであって、制御部２０１は、当該アンテナを介して公衆網に接続することができる。なお、通信部２１１、近距離無線通信部２１２、および公衆網通信部２１３を一つのアンテナで兼用することも可能である。
【００４７】
＜システム構成および近距離無線通信の利用＞
図３は、図１に示すカメラと図２に示すスマートデバイスとの近距離無線通信を説明するための図である。そして、図３（ａ）はカメラとスマートデバイスとがＢＬＥ接続された状態を示す図であり、図３（ｂ）はスマートデバイスに備えられた表示部に表示される画面の一例を示す図である。また、図３（ｃ）は撮影リモコンアプリケーション画面の一例を示す図である。
【００４８】
図３（ａ）に示すように、カメラ１００とスマートデバイス２００とはＢＬＥによって接続されているものとする。前述のように、ＢＬＥは無線ＬＡＮに比べて低消費電力であるので、ここでは、カメラ１００とスマートデバイス２００とは常時接続されているものとする。
【００４９】
いま、ユーザがスマートデバイス２００を操作してカメラ１００を制御するとする。この際、ユーザはスマートデバイス２００において操作部２０５のタッチパネルをタッチ操作して、図３（ｂ）に示すカメラ１００と通信を行う通信アプリケーション３０１を選択する。これによって、当該通信アプリケーション３０１が起動して、制御部２０１は、図３（ｂ）に示すように無線ＬＡＮ接続アイコン３０２、再生リモコンアイコン３０３、および撮影リモコンアイコン３０４を表示部２０６に表示する。
【００５０】
ユーザが撮影リモコンアイコン３０４を選択すると、後述する撮影リモコンアプリケーションが起動する。なお、無線ＬＡＮ接続アイコン３０２を選択すると、制御部２０１は通信部２１１によってカメラ１００と無線ＬＡＮ接続を行う。再生リモコンアイコン３０３を選択すると、再生リモコンアプリケーションが起動して、再生リモコン操作が行われるが、ここでは詳細な説明は省略する。
【００５１】
前述のように、撮影リモコンアプリケーションが起動すると、制御部２０１は。図３（ｃ）に示す撮影リモコンアプリケーション画面を表示部２０６に表示する。撮影リモコンアプリケーション画面に表示されたタブ３０５および３０６によってユーザは撮影リモコンと再生リモコンとを切り替えることができる。再生タブ３０６を選択すると、再生リモコンアプリケーションに遷移する。
【００５２】
ボタン３０７〜３１０はカメラ１００を制御する際に用いられるボタンである。図示の例では、撮影リモコンアプリケーション画面には、静止画撮影ボタン３０７、動画撮影ボタン３０８、ワイドボタン３０９、およびテレボタン３１０が表示される。なお、ワイドボタン３０９は撮像部１０２をワイド側に制御する際に用いられるボタンであり、テレボタン３１０は撮像部１０２をテレ側に制御する際に用いられるボタンである。そして、ボタン３０７〜３１０を選択すると、制御部２０１は当該選択に応じた制御コマンドをカメラ１００にＢＬＥ通信によって送信する。
【００５３】
＜撮影リモコン処理＞
図４は、図１に示すカメラで行われる撮影処理を説明するためのフローチャートである。以下この処理を撮影リモコン処理と呼ぶことがある。
【００５４】
なお、図示のフローチャートに係る処理は、カメラ１００に備えられた制御部１０１が入力信号およびプログラムに従ってカメラ１００制御することによって行われる。また、特に断らない限り、カメラ１００の処理を示す他のフローチャートについても同様である。
【００５５】
ユーザが操作部１０５を操作してカメラ１００を撮影状態に移行させると、カメラ１００は撮影処理を開始する。まず、ステップＳ４０１において、制御部１０１は表示部１０６の向き（つまり、回転）を検出する。図１（ｂ）および図１（ｃ）で説明したように、表示部１０６はカメラ１００の筐体端を軸として回動可能であって、表示部１０６を回動させて開くことができる。つまり、ユーザは表示部１０６を開いた状態又は閉じた状態とすることができる。
【００５６】
制御部１０１が表示部１０６は開いた状態であると判定した場合には、処理はステップＳ４０２に進む。一方、制御部１０１が表示部１０６は閉じた状態であると判定した場合には。処理はステップＳ４０４に進む。
【００５７】
ステップＳ４０２において、制御部１０１は近距離無線通信部１１２によってスマートデバイス２００とＢＬＥ接続中であるか否かを判定する。制御部１０１がＢＬＥ接続中であると判定した場合には、処理はステップＳ４０３に進む。一方、制御部１０１がＢＬＥ接続中ではないと判定した場合には、処理はステップＳ４０４に進む。
【００５８】
ステップＳ４０３において、制御部１０１は表示部１０６に撮影リモコンが使用可能である旨のメッセージを表示する。なお、ステップＳ４０３において、制御部１０１は近距離無線通信部１１２によってスマートデバイス２００にＢＬＥ通信により当該メッセージを送信するようにしてもよい。表示部１０６に撮影リモコンが使用可能である旨のメッセージを表示することと、近距離無線通信部１１２によってスマートデバイス２００にＢＬＥ通信により当該メッセージを送信することは、少なくともどちらか一方を実行する。つまり、両方実行してもよい。その後、処理はステップＳ４０４に進む。
【００５９】
図５は、図４に示す撮影処理においてカメラおよびスマートデバイスに表示される画面の一例を説明するための図である。そして、図５（ａ）はスマートデバイスに表示される画面の一例を示す図であり、図５（ｂ）はスマートデバイスに表示される画面の他の例を示す図である。また、図５（ｃ）はスマートデバイスに表示される画面のさらに他の例を示す図であり、図５（ｄ）はカメラに表示される画面の他の例を示す図である。
【００６０】
ステップＳ４０３の処理においては、制御部１０１は、図５（ｄ）に示すメッセージ５０４を表示部１０６に表示する。また、制御部２０１は近距離無線通信部２１２によってメッセージを受信した場合には、その表示部２０６に撮影リモコンが使用可能である旨のメッセージを表示する。
【００６１】
図５（ａ）には、スマートデバイス２００がロック状態の場合に、カメラ１００からメッセージを受信した際に表示部２０６に表示されるメッセージの例が示されている。ここでは、ロック画面の通知領域に撮影リモコンが使用可能である旨のメッセージ５０１が表示される。
【００６２】
ユーザがメッセージ５０１を選択すると、制御部２０１は撮影リモコンアプリケーションを起動して、図３（ｃ）に示す撮影リモコンアプリケーション画面を表示部２０６に表示する。
【００６３】
図５（ｂ）には、スマートデバイス２００のロックが解除された際に、カメラ１００からメッセージを受信した際に表示部２０６に表示されるメッセージの例が示されている。ここでは、ホーム画面の通知領域に撮影リモコンが使用可能である旨のメッセージ５０２が表示される。ユーザがメッセージ５０２において「はい」を選択すると、制御部２０１は撮影リモコンアプリケーションを起動して、図３（ｃ）に示す撮影リモコンアプリケーション画面を表示部２０６に表示する。
【００６４】
図５（ｃ）には、スマートデバイス２００がカメラ１００と通信を行うアプリケーションを起動し撮影リモコンを使用するモードになっていない場合に、カメラ１００からメッセージを受信した際に表示部２０６に表示されるメッセージの例が示されている。ここでは、アプリケーション上の通知領域に撮影リモコンが使用可能である旨のメッセージ５０３が表示される。ユーザがメッセージ５０３において「はい」を選択すると、制御部２０１は撮影リモコンアプリケーションを起動して、図３（ｃ）に示す撮影リモコンアプリケーション画面を表示部２０６に表示する。
【００６５】
このようにして、カメラ１００において表示部１０６が開いた状態で、かつカメラ１００とスマートデバイス２００がＢＬＥ接続中である場合に、カメラ１００又はスマートデバイス２００に撮影リモコンが使用可能である旨のメッセージが表示される。これによって、ユーザに撮影リモコン機能の使用が促される。
【００６６】
図示の例では、カメラ１００とスマートデバイス２００とは常時ＢＬＥ接続されている。よって、ユーザ自身を撮影しようとして表示部１０６を開くと、ユーザは撮影リモコンが使用可能であることを知ることができるので、ユーザの利便性が向上する。
【００６７】
また、スマートデバイス２００にメッセージを通知する場合には、図５（ａ）〜図５（ｃ）で説明したように、スマートデバイス２００の状態に合わせてメッセージが表示される。そして、ユーザが通知メッセージ５０１〜５０３のいずれかを選択すれば、図３（ｃ）に示す画面が表示されて、撮影リモコンを使用することができる。
【００６８】
なお、スマートデバイス２００にメッセージを送信した際には、表示部２０６にメッセージを表示するとともに、通知音を鳴動させてメッセージの受信をユーザに知らせるようにしてもよい。あるいは、スマートデバイス２００は振動部（不図示）を制御し、振動によりメッセージの受信をユーザに知らせてもよい。再び図４を参照して、ステップＳ４０４において、制御部１０１はユーザによって操作部１０５が操作されて撮影指示が行われたか否かを判定する。制御部１０１が撮影指示が行われたと判定した場合には、処理はステップＳ４０６に進む。一方、制御部１０１が撮影指示が行われないと判定した場合には、処理はステップＳ４０５に進む。
【００６９】
ステップＳ４０５において、制御部１０１はスマートデバイス２００（つまり、対向機）からＢＬＥ通信によって撮影指示があったか否かを判定する。なお、ユーザが撮影リモコンアプリケーション画面によって、撮影ボタン３０７を選択すると、制御部２０１は撮影コマンドを近距離無線通信部２１２によってカメラ１００に送信する。そして、近距離無線通信部１１２によって撮影コマンドを受信すると、制御部１０１はスマートデバイス２００よって撮影指示が実行されたと判定する。
【００７０】
制御部１０１がスマートデバイス２００から撮影指示があったと判定した場合には、処理はステップＳ４０６に進む。一方、制御部１０１がスマートデバイス２００から撮影指示がないと判定した場合には、処理はステップＳ４０１に戻る。
【００７１】
ステップＳ４０６において、制御部１０１は撮像部１０２を制御して撮影処理を行う。そして、ステップＳ４０７において、制御部１０１はユーザによって操作部１０５が操作され撮影が終了したか否かを判定する。制御部１０１が撮影が終了したと判定した場合には、撮影処理（つまり、撮影モード）は終了する。一方、制御部１０１が撮影が終了しないと判定した場合には、処理はステップＳ４０１に戻る。
【００７２】
このように、本発明の実施の形態では、カメラ１００はスマートデバイス２００とＢＬＥで常時接続されている。そして、ユーザが自分自身を撮影しようとしてカメラ１００の表示部１０６を開いたという判定結果を得た場合には、カメラ１００の表示部１０６又はスマートデバイス２００の表示部２０６に撮影リモコンが使用可能であることを知らせる。その結果、ユーザはリモコン撮影などの遠隔操作が有用な状況において、容易にリモコン撮影が可能なことを知ることができる。
【００７３】
［第２の実施形態］
続いて、本発明の第２の実施形態によるカメラおよびスマートデバイスの一例について説明する。なお、第２の実施形態によるカメラおよびスマートデバイスの構成は図１に示すカメラおよびスマートデバイスと同様である。
【００７４】
図６は、本発明の第２の実施形態によるカメラにおいて表示部に表示される撮影モード選択画面の一例を示す図である。
【００７５】
撮影モードには、例えば、オートモード（Ａｕｔｏ）、プログラムＡＥ（Ｐ）、絞り優先ＡＥ（Ａｖ）、シャッタースピード優先ＡＥ（Ｔｖ）、およびマニュアル露出（Ｍ）があり、さらに、ユーザ自身を撮影する自撮りモード６０１がある。
【００７６】
ここでは、カメラ１００とスマートデバイス２００とはＢＬＥで常時接続されている。そして、ユーザがカメラ１００の操作部１０５を操作して自撮りモード６０１を選択した際に、ユーザに撮影リモコンが使用可能である旨を通知する。
【００７７】
＜撮影リモコン処理＞
図７は、本発明の第２の実施形態によるカメラで行われる撮影処理を説明するためのフローチャートである。なお、図示のフローチャートにおいて、図４に示すフローチャートのステップと同一のステップについては同一の参照符号を付して説明を省略する。
【００７８】
ユーザが操作部１０５を操作してカメラ１００を撮影状態に移行させると、カメラ１００は撮影処理を開始する。ステップＳ７０１において、制御部１０１は表示部１０６が回転されて開いた状態となったか又は撮影モードとして自撮りモードが選択されたか否かを判定する。制御部１０１が表示部１０６が開いた状態となったか又は自撮りモードが選択されたと判定した場合には、処理はＳ４０２に進む。一方、制御部１０１が表示部１０６が開いた状態とならずかつ自撮りモードが選択されないと判定した場合には、処理はステップＳ７０３に進む。
【００７９】
ステップＳ４０２において、制御部１０１がＢＬＥ接続中でないと判定した場合には、処理はステップＳ７０３に進む。一方、制御部１０１がＢＬＥ接続中であると判定した場合には、処理はステップＳ７０２に進む。
【００８０】
ステップＳ７０３において、制御部１０１は表示済フラグをＦＡＬＳＥに設定する。当該表示済フラグは作業用メモリ１０４に記憶される変数である。表示済フラグは、カメラ１００又はスマートデバイス２００に撮影リモコンが使用可能である旨のメッセージが表示済みであるか否かを示すフラグである。その後、制御部１０１はステップＳ４０４の処理に進む。
【００８１】
ステップＳ７０２において、制御部１０１は作業用メモリ１０４に記憶された表示済フラグがＦＡＬＳＥであるか否かを判定する。制御部１０１が表示済フラグがＦＡＬＳＥであると判定した場合には、処理は前述のステップＳ４０３に進む。一方、制御部１０１が表示済フラグがＦＡＬＳＥでないと判定した場合には、処理はステップＳ４０４に進む。
【００８２】
このような処理によって、例えば、一度表示部１０６が開いたことを検知して、制御部１０１が撮影リモコンが使用可能である旨のメッセージを表示した後、自撮りモードを選択した場合には、再度メッセージ表示を行わないことになる。そして、メッセージを表示する条件が解除されるまで、ステップＳ４０３のメッセージ表示を行わずに済む。
【００８３】
ステップＳ４０３の処理を行った後、ステップＳ７０６において、制御部１０１は作業用メモリ１０４に記憶された表示済フラグをＴＲＵＥに設定する。そして、制御部１０１はステップＳ４０４の処理に進む。
【００８４】
なお、ステップＳ４０５において、制御部１０１がスマートデバイス２００から撮影指示がないと判定した場合には、処理はステップＳ７０１に戻る。同様に、ステップＳ４０７において、制御部１０１が撮影が終了しないと判定した場合には、処理はステップＳ７０１に戻る。
【００８５】
このように、本発明の第２の実施形態では、カメラ１００とスマートデバイス２００とがＢＬＥ接続中であると、カメラ１００の表示部１０６が開かれるか又は自撮りモードに設定されると、撮影リモコンが使用可能である旨のメッセージが表示される。この結果、カメラ１００又はスマートデバイス２００を用いるユーザに撮影リモコン機能の使用を促すことができる。つまり、カメラ１００とスマートデバイス２００とは常時ＢＬＥ接続が維持されている。このため、ユーザが自分自身を撮影しようとしてカメラ１００の表示部１０６を開いた場合又は自撮りモードを選択した場合には、ユーザは撮影リモコンが使用可能であることを知ることができることになって、ユーザの利便性が向上する。
【００８６】
さらに、スマートデバイス２００にメッセージを通知する場合には、前述の図５（ａ）〜図５（ｃ）で説明したように、スマートデバイス２００の状態にあわせて通知が行われる。そして、ユーザがこれらメッセージ５０１〜５０３のいずれかを選択すれば、図３（ｃ）に示す撮影リモコンアプリケーション画面（操作画面）が表示され、ユーザは容易に撮影指示を行うことができる。
【００８７】
第１の実施形態では、カメラ１００の表示部１０６を開いた場合に、ユーザに撮影リモコンが使用可能である旨を通知する例について説明した。第２の実施形態では、加えて自撮りモードが設定された場合にも、ユーザに撮影リモコンが使用可能である旨を通知する例について説明した。ユーザが自分自身を撮影する際、カメラ１００の操作部を操作するとユーザの手が撮影されてしまうことがある。このような事態を防止するためには、撮影リモコンを利用することが有用である。よって、撮影リモコンが使用可能である旨をユーザに通知して、撮影リモコンの使用が可能であることをユーザに報知すれば、ユーザの利便性を向上させることができる。
【００８８】
撮影リモコンを使用すると便利なケースは他にもある。例えば、手ブレを防止するためのバルブ撮影（バルブ撮影モード）又はタイムラプス撮影（タイマ撮影モード）、さらには、ズーム状態における撮影など、自撮りモード以外の、特定の撮影モード又は撮影条件になった場合、ユーザに同様にして撮影リモコンの使用が可能である旨を通知するようにしてもよい。
【００８９】
前述の第１および第２の実施形態では、スマートデバイス２００の状態に拘わらず、カメラ１００の状態変化（例えば、表示部１０６を開いた又は自撮りモードを設定した）に応じてメッセージを通知するようにした。つまり、スマートデバイス２００において、例えば、他のアプリケーションが起動していたとしても、カメラ１００はメッセージをスマートデバイス２００に通知するようにした。そして、スマートデバイス２００において当該メッセージを表示するか否かを判定する。
【００９０】
一方、スマートデバイス２００の状態変化を予めカメラ１００に通知して、カメラ１００はスマートデバイス２００の状態に応じてメッセージを通知するか否かを判定するようにしてもよい。例えば、スマートデバイス２００において撮影リモコンアプリケーションが既に起動されている場合には、その旨をカメラ１００に通知する。そして、カメラ１００は、スマートデバイスからの通知に基づき、撮影リモコンが利用可能な状態となっても当該メッセージを通知しないようにする。
【００９１】
さらには、カメラ１００に状態変化が生じたとしても、直ちにメッセージを通知することなく、所定の時間状態変化が継続すると、カメラ１００はメッセージを通知するようにしてもよい。このようにするのは以下の理由による。すなわち、回動可能なモニタには、カメラ１００の本体との接続部に二つの軸を備え、画面が外部に露出した状態で折りたたまれた状態と、画面が内側を向き、ディスプレイの背面が外部に露出した状態で折りたたまれた状態とにすることができるものもある。このようなモニタにおいて後者の状態から前者の状態にしようとしているときは、たとえ画面が撮像部の向きと同じ向きになったとしても、ユーザは自分撮りを行う意思はないと考えられるからである。
【００９２】
以上、本発明について実施の形態に基づいて説明したが、本発明は、これらの実施の形態に限定されるものではなく、この発明の要旨を逸脱しない範囲の様々な形態も本発明に含まれる。
【００９３】
例えば、上記の実施の形態の機能を制御方法として、この制御方法をデータ処理装置に実行させるようにすればよい。また、上述の実施の形態の機能を有するプログラムをデータ処理装置が備えるコンピュータに実行させるようにしてもよい。なお、プログラムは、例えば、コンピュータに読み取り可能な記録媒体に記録される。
【００９４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１００  カメラ
１０１，２０１  制御部
１０２，２０２  撮像部
１０３，２０３  不揮発性メモリ
１０４，２０４  作業用メモリ
１０５，２０５  操作部
１０６，２０６  表示部
１１１，２１１  通信部
１１２，２１２  近距離無線通信部
２００  スマートデバイス
【図１】
0006794150.tif 000002
【図２】
0006794150.tif 000003
【図３】
0006794150.tif 000004
【図４】
0006794150.tif 000005
【図５】
0006794150.tif 000006
【図６】
0006794150.tif 000007
【図７】
0006794150.tif 000008